(57)【要約】【課題】水平・垂直偏波特性を改善しつつ車両に埋め込むことが可能な車両埋め込み型アンテナ装置を提供する。【解決手段】車両埋め込み型アンテナ装置は、アンテナエレメント１０と回路基板２０と接地用ブラケット３０とからなる。アンテナエレメント１０は、第１周波数帯に対応する容量アンテナとして機能するようなアンテナ容量を有すると共に、第２周波数帯に対応するアンテナ長を有し、ルーフ面に略平行な偏波を主偏波とする接地型のものである。接地用ブラケット３０は、アンテナエレメント１０のルーフ面に略垂直な偏波の感度が向上するように、ルーフ面と異なる角度で配置される部位を有する車両のボディに装着されるパーツが有する導電性部材に、直接接地される。【選択図】図１
2020088569.tif 000002
【特許請求の範囲】
【請求項１】
車両に埋め込むアンテナ装置であって、該車両埋め込み型アンテナ装置は、
車両のルーフ面に略平行な平面板状部を有するアンテナエレメントであって、第１周波数帯に対応する容量アンテナとして機能するようなアンテナ容量を有すると共に、第２周波数帯に対応するアンテナ長を有し、ルーフ面に略平行な偏波を主偏波とする接地型のアンテナエレメントと、
前記アンテナエレメントが接続される給電部を有する回路基板と、
回路基板のグラウンドとなる接地用ブラケットであって、アンテナエレメントのルーフ面に略垂直な偏波の感度が向上するように、ルーフ面と異なる角度で配置される部位を有する車両のボディに装着されるパーツが有する導電性部材に、直接接地される接地用ブラケットと、
を具備することを特徴とする車両埋め込み型アンテナ装置。
【請求項２】
請求項１に記載の車両埋め込み型アンテナ装置において、前記接地用ブラケットが直接接地される導電性部材は、リンフォースであり、該リンフォースのルーフ面と異なる角度で配置される部位の長さが、不要共振が起きない長さに設定されることを特徴とする車両埋め込み型アンテナ装置。
【請求項３】
車両に埋め込むアンテナ装置であって、該車両埋め込み型アンテナ装置は、
車両のルーフ面に略平行な平面板状部を有するアンテナエレメントであって、第１周波数帯に対応する容量アンテナとして機能するようなアンテナ容量を有すると共に、第２周波数帯に対応するアンテナ長を有し、ルーフ面に略平行な偏波を主偏波とする接地型のアンテナエレメントと、
前記アンテナエレメントが接続される給電部を有する回路基板と、
回路基板のグラウンドとなる接地用ブラケットであって、アンテナエレメントのルーフ面に略垂直な偏波の感度が向上するように、ルーフ面と異なる角度で配置される部位を有する車両骨格に導通する、車両のボディに装着されるパーツが有する導電性部材に、直接接地される接地用ブラケットと、
を具備することを特徴とする車両埋め込み型アンテナ装置。
【請求項４】
請求項３に記載の車両埋め込み型アンテナ装置において、前記接地用ブラケットは、車両のボディに装着されるパーツの導電性部材が車両骨格に導通する位置の近傍に直接接地されることを特徴とする車両埋め込み型アンテナ装置。
【請求項５】
請求項３又は請求項４に記載の車両埋め込み型アンテナ装置において、前記接地用ブラケットが直接接地される導電性部材は、リンフォースであることを特徴とする車両埋め込み型アンテナ装置。
【請求項６】
請求項２又は請求項５に記載の車両埋め込み型アンテナ装置において、前記接地用ブラケットが直接接地されるリンフォースは、ドアロック部と導通することを特徴とする車両埋め込み型アンテナ装置。
【請求項７】
請求項１乃至請求項６の何れかに記載の車両埋め込み型アンテナ装置において、前記接地用ブラケットが直接接地される導電性部材を有するパーツは、バックドア又はサイドドアであることを特徴とする車両埋め込み型アンテナ装置。
【請求項８】
請求項１乃至請求項７の何れかに記載の車両埋め込み型アンテナ装置において、前記アンテナエレメントは、第２周波数帯に対応するアンテナ長を有するように、給電部に接続され回路基板に載置されるインダクタを有することを特徴とする車両埋め込み型アンテナ装置。
【請求項９】
請求項８に記載の車両埋め込み型アンテナ装置において、前記インダクタは、接地用ブラケット及びアンテナエレメントが配置されない位置に配置されることを特徴とする車両埋め込み型アンテナ装置。
【請求項１０】
請求項１乃至請求項９の何れかに記載の車両埋め込み型アンテナ装置において、
前記回路基板は、導電性ケースに収容され、
前記接地用ブラケットは、導電性ケースと一体的に形成される、
ことを特徴とする車両埋め込み型アンテナ装置。
【請求項１１】
請求項１乃至請求項１０の何れかに記載の車両埋め込み型アンテナ装置において、前記アンテナエレメントと回路基板は、１枚のプリント基板で構成されることを特徴とする車両埋め込み型アンテナ装置。
【請求項１２】
請求項１１に記載の車両埋め込み型アンテナ装置において、前記アンテナエレメントは、第２周波数帯に対応するアンテナ長を有するように、給電部に接続され回路基板に載置されるインダクタを有し、該インダクタは、１枚のプリント基板上にパターンニング形成されることを特徴とする車両埋め込み型アンテナ装置。
【発明の詳細な説明】
【技術分野】
【０００１】
本発明は車両埋め込み型アンテナ装置に関し、特に、車両に埋め込まれることで隠蔽されるアンテナ装置に関する。
【背景技術】
【０００２】
車両に搭載される複数の周波数帯に対応するアンテナ装置、例えば、ＡＭ／ＦＭ帯に対応するアンテナ装置には、ピラーアンテナやルーフマウントアンテナ、ガラスアンテナ等、種々のものが存在する。しかしながら、突出量の多いピラーアンテナは、接触等により折れ曲がる可能性が高いものである。また、ルーフマウントアンテナは、地上高が高くなるため立体駐車場や自動洗車機等において倒したり取り外す必要がある。また、ガラスアンテナは車種毎に固有の開発が必要となり開発コスト等が高くなる問題もある。
【０００３】
そして、近来では車両のデザイン性も重視されてきており、車両に搭載されるアンテナ装置は極力車両の美観を損ねないようなものが求められている。そこで、外観を損ねないようにスポイラに内蔵するアンテナ装置も種々開発されている（例えば特許文献１や特許文献２）。
【先行技術文献】
【特許文献】
【０００４】
【特許文献１】特開２０１４−２１６６６１号公報
【特許文献２】特開２０１６−０１２９１５号公報
【発明の概要】
【発明が解決しようとする課題】
【０００５】
例えばアンテナ装置をスポイラに内蔵した場合、水平偏波特性は良好なものの、垂直偏波特性は優れたものではなかった。このため、例えば特許文献１等では、車両の金属ボディに対して垂直方向側に角度を設けて配置するようにして、垂直偏波特性をある程度改善させていた。外観デザイン性等により、アンテナ装置の隠蔽化が望まれているが、アンテナ装置を車両ルーフ近傍のスポイラに埋め込んだ場合、アンテナエレメントは車両のルーフ面に平行に設置されることとなるため、主偏波は水平偏波となり、垂直偏波成分を十分には受信できなかった。このため、隠蔽化されても水平・垂直偏波特性の優れたアンテナ装置が望まれていた。
【０００６】
本発明は、斯かる実情に鑑み、水平・垂直偏波特性を改善しつつ車両のボディに埋め込むことが可能な車両埋め込み型アンテナ装置を提供しようとするものである。
【課題を解決するための手段】
【０００７】
上述した本発明の目的を達成するために、本発明による車両埋め込み型アンテナ装置は、車両のルーフ面に略平行な平面板状部を有するアンテナエレメントであって、第１周波数帯に対応する容量アンテナとして機能するようなアンテナ容量を有すると共に、第２周波数帯に対応するアンテナ長を有し、ルーフ面に略平行な偏波を主偏波とする接地型のアンテナエレメントと、アンテナエレメントが接続される給電部を有する回路基板と、回路基板のグラウンドとなる接地用ブラケットであって、アンテナエレメントのルーフ面に略垂直な偏波の感度が向上するように、ルーフ面と異なる角度で配置される部位を有する車両のボディに装着されるパーツが有する導電性部材に、直接接地される接地用ブラケットと、を具備するものである。
【０００８】
ここで、接地用ブラケットが直接接地される導電性部材は、リンフォースであり、該リンフォースのルーフ面と異なる角度で配置される部位の長さが、不要共振が起きない長さに設定されるものであれば良い。
【０００９】
また、本発明による車両埋め込み型アンテナ装置は、車両のルーフ面に略平行な平面板状部を有するアンテナエレメントであって、第１周波数帯に対応する容量アンテナとして機能するようなアンテナ容量を有すると共に、第２周波数帯に対応するアンテナ長を有し、ルーフ面に略平行な偏波を主偏波とする接地型のアンテナエレメントと、アンテナエレメントが接続される給電部を有する回路基板と、回路基板のグラウンドとなる接地用ブラケットであって、アンテナエレメントのルーフ面に略垂直な偏波の感度が向上するように、ルーフ面と異なる角度で配置される部位を有する車両骨格に導通する、車両のボディに装着されるパーツが有する導電性部材に、直接接地される接地用ブラケットと、を具備するものであっても良い。
【００１０】
ここで、接地用ブラケットは、車両のボディに装着されるパーツの導電性部材が車両骨格に導通する位置の近傍に直接接地されるものであれば良い。
【００１１】
また、接地用ブラケットが直接接地される導電性部材は、リンフォースであれば良い。
【００１２】
また、接地用ブラケットが直接接地されるリンフォースは、ドアロック部と導通するものであっても良い。
【００１３】
また、接地用ブラケットが直接接地される導電性部材を有するパーツは、バックドア又はサイドドアであれば良い。
【００１４】
また、アンテナエレメントは、第２周波数帯に対応するアンテナ長を有するように、給電部に接続され回路基板に載置されるインダクタを有するものであっても良い。
【００１５】
ここで、インダクタは、接地用ブラケット及びアンテナエレメントが配置されない位置に配置されるものであれば良い。
【００１６】
また、回路基板は、導電性ケースに収容され、接地用ブラケットは、導電性ケースと一体的に形成されるものであっても良い。
【００１７】
また、アンテナエレメントと回路基板は、１枚のプリント基板で構成されるものであっても良い。
【００１８】
また、アンテナエレメントは、第２周波数帯に対応するアンテナ長を有するように、給電部に接続され回路基板に載置されるインダクタを有し、該インダクタは、１枚のプリント基板上にパターンニング形成されるものであっても良い。
【発明の効果】
【００１９】
本発明の車両埋め込み型アンテナ装置には、水平・垂直偏波特性を改善しつつ車両のボディに埋め込むことが可能であるという利点がある。
【図面の簡単な説明】
【００２０】
【図１】図１は、本発明の車両埋め込み型アンテナ装置の概要を説明するための概略斜視図である。
【図２】図２は、本発明の車両埋め込み型アンテナ装置の詳細を説明するための概略図である。
【図３】図３は、本発明の車両埋め込み型アンテナ装置における利得特性を説明するためのグラフである。
【図４】図４は、本発明の車両埋め込み型アンテナ装置の接地用ブラケットを説明するための概略図である。
【発明を実施するための形態】
【００２１】
以下、本発明を実施するための形態を図示例と共に説明する。図１は、本発明の車両埋め込み型アンテナ装置の概要を説明するための概略斜視図である。また、図２は、本発明の車両埋め込み型アンテナ装置の詳細を説明するための概略図であり、図２（ａ）が上面図であり、図２（ｂ）が側面図である。図中、図１と同一の符号を付した部分は同一物を表している。図示の通り、本発明の車両埋め込み型アンテナ装置は、アンテナエレメント１０と、回路基板２０と、接地用ブラケット３０とから主に構成されている。これらの構成要素が、例えばスポイラＳ等に埋め込まれれば良い。
【００２２】
アンテナエレメント１０は、車両のルーフ面に略平行な平面板状部を有するものである。そして、アンテナエレメント１０は、ルーフ面に略平行に配置されることから、ルーフ面に略平行な偏波を主偏波とするアンテナである。より具体的には、例えば車両のトップルーフに配置される場合、アンテナエレメント１０は、水平偏波を主偏波とするものとなる。アンテナエレメント１０は、平面形状を有する接地型アンテナであり、例えばモノポールアンテナのように機能すれば良い。図示例では、アンテナエレメント１０は、車両のスポイラＳに配置された例を示した。アンテナエレメント１０は、第１周波数帯に対応する容量アンテナとして機能するようなアンテナ容量を有する。さらに、アンテナエレメント１０は、第２周波数帯に対応するアンテナ長を有するように構成されている。即ち、アンテナエレメント１０は、そのアンテナ容量により容量アンテナとして機能すると共に、そのアンテナ長により共振アンテナとして機能するものである。ここで、第１周波数帯とは、例えばラジオのＡＭ帯等をいう。また、第２周波数帯とは、例えばラジオのＦＭ帯やＤＡＢ（Ｄｉｇｉｔａｌ  Ａｕｄｉｏ  Ｂｒｏａｄｃａｓｔ）やＵＨＦ（Ｕｌｔｒａ−Ｈｉｇｈ  Ｆｒｅｑｕｅｎｃｙ）等の周波数帯であれば良い。また、アンテナエレメント１０には、給電線１１が設けられている。給電線１１は、例えば平面板状部の端部を折り曲げ加工等してピン状に形成されれば良い。
【００２３】
具体的には、まず、本発明のアンテナエレメント１０は、容量アンテナとして機能するように、平面板状部が第１周波数帯を受信可能な程度のアンテナ容量を有するようにその面積が決定されれば良い。アンテナエレメント１０は、例えば金属板を加工することにより形成されれば良い。即ち、金属板をカットすることで、例えば長方形状の平面板状部が形成されれば良い。しかしながら、本発明はこれに限定されず、例えばアンテナエレメント１０をプリント基板又はフレキシブルプリント基板の導体箔を加工することにより形成しても良い。さらに、アンテナエレメント１０の平面板状部は、第１周波数帯に対応する容量アンテナとして機能するようなアンテナ容量を有するものであれば良いため、平面板状部と略等価なアンテナ容量を有するように構成されたメアンダ状のエレメントであっても良い。さらに、容量アンテナとして機能するようなものであれば、方形状に限らず切り欠きや丸み、段差等が設けられていても良い。
【００２４】
そして、アンテナエレメント１０は、共振アンテナとして機能するように、全体のアンテナ長が第２周波数帯に対応する長さとなるように調整されれば良い。ここで、アンテナ長が第２周波数帯の波長の例えば１／４に満たない場合には、インダクタ４０を設けても良い。インダクタ４０は、例えば回路基板２０に載置されれば良い。インダクタ４０は、給電部２１に接続されるものである。インダクタ４０は、第２周波数帯に対してアンテナエレメント１０が共振アンテナとして機能するように、そのアンテナ長の不足分を補うためのものである。インダクタ４０は、アンテナエレメント１０とアンプ回路５０との間に直列に接続されるものである。インダクタ４０は、例えば導線を螺旋状に巻回した空芯コイルであれば良い。また、チップインダクタであっても良い。さらに、両面プリント基板や両面フレキシブルプリント基板の導体箔を、スルーホールを用いて螺旋状になるようにパターンニング形成し、平面状にインダクタを設けても良い。また、インダクタ４０をメアンダパターンとして構成しても良い。ここで、図示の通り、インダクタ４０は、その軸方向にアンテナエレメント１０が存在するように回路基板２０に載置されている。即ち、アンテナエレメント１０とアンプ回路５０の間を結ぶ線に対して軸方向が平行となるように配置されれば良い。なお、本発明はこれに限定されず、回路基板２０の幅に対してインダクタ４０の長さが収まるものであれば、アンテナエレメント１０とアンプ回路５０の間を結ぶ線に対してインダクタ４０の軸方向が垂直となるように配置されても良い。
【００２５】
回路基板２０は、アンテナエレメント１０が接続される給電部２１を有する。即ち、アンテナエレメント１０の給電線１１が、給電部２１に接続されている。回路基板２０は、例えば一般的なプリント基板であれば良い。回路基板２０には、インダクタ４０やアンプ回路５０が載置される。また、回路基板２０には、車内に設けられるチューナ等に接続される信号ケーブルが接続される。
【００２６】
ここで、アンテナエレメント１０と回路基板２０は、１枚のプリント基板で構成されても良い。即ち、アンテナエレメント１０や回路基板２０を、１枚のプリント基板上にパターンニング形成しても良い。このとき、インダクタ４０もプリント基板上にパターンニング形成することも可能である。
【００２７】
接地用ブラケット３０は、回路基板２０のグラウンドとなるものである。即ち、接地型アンテナであるアンテナエレメント１０のグラウンドの一部となるものである。接地用ブラケット３０は、アンテナエレメント１０のルーフ面に略垂直な偏波の感度が向上するように、導電性部材に直接接地される。ここで、導電性部材は、パーツＤが有するものである。パーツＤは、車両のボディに装着されるものであり、例えばバックドアやサイドドアであれば良い。例えば、アンテナエレメント１０がスポイラＳ内に配置される場合について説明する。スポイラＳは、バックドア又はサイドドアであるパーツＤに配置される。近来、バックドアやサイドドアは軽量化を目的に樹脂により形成される場合がある。このような樹脂製のバックドアやサイドドアには、リンフォースＲが用いられている。リンフォースＲは、導電性部材からなる補強部材である。リンフォースＲは、例えばバックドアの上側角部の２か所を補強するように左右にＬ字状に設けられるものである。即ち、図示例のリンフォースＲは、ルーフ面と異なる角度で配置される部位を有している。リンフォースＲは導電性部材なので、大地方向（垂直方向）のリンフォースＲに電流を流すことが可能となる。
【００２８】
また、リンフォースＲが車両骨格Ｆに導通している構造の車両も存在する。具体的には、リンフォースＲは例えばヒンジＨを介して車両骨格Ｆに電気的に導通している。車両骨格Ｆは、ルーフ面と異なる角度で配置される部分、例えば、車両のピラーやピラー近傍のルーフ骨格を有するものである。このような構造の場合、接地用ブラケット３０は、ルーフ面と異なる角度で配置される部位を有する車両骨格Ｆに導通する、車両のボディに装着されるパーツＤが有する導電性部材であるリンフォースＲに、直接接地されれば良い。図示例では、ヒンジＨが車両骨格Ｆのルーフ面に近い位置に配置されているが、車両骨格Ｆは、車両ボディの垂直方向にも延在するものである。リンフォースＲは導電性部材なので、リンフォースＲ及びヒンジＨを介して大地方向（垂直方向）の車両骨格Ｆに電流を流すことが可能となる。なお、リンフォースＲは必ずしもヒンジＨを介して車両骨格Ｆに導通している必要はなく、リンフォースＲと車両骨格Ｆはアース線等を用いて電気的に接続されていても良い。
【００２９】
このように、本発明の車両埋め込み型アンテナ装置では、接地用ブラケット３０は、アンテナエレメント１０のルーフ面に略垂直な偏波の感度が向上するように、車両のボディに装着されるパーツが有する導電性部材に直接接地されれば良い。そして、この導電性部材であるリンフォースＲが、ルーフ面と異なる角度で配置される部位を有していても良い。また、リンフォースＲが、ルーフ面と異なる角度で配置される部位を有する車両骨格Ｆに導通するものであっても良い。即ち、リンフォースＲが垂直方向の部位を有していれば、そこに電流を流せば良いし、リンフォースＲが垂直方向の部位を有していなくても、垂直方向の部位を有する車両骨格ＦにリンフォースＲが導通していれば良い。なお、リンフォースＲが垂直方向の部位を有しつつ、リンフォースＲに導通する車両骨格Ｆも垂直方向の部位を有していても勿論良い。
【００３０】
このような構成により、本発明の車両埋め込み型アンテナ装置は、スポイラＳ（水平方向）に平行に埋め込まれた水平偏波を主偏波とするアンテナエレメント１０であっても、垂直偏波が得られる構成となる。
【００３１】
なお、本発明の車両埋め込み型アンテナ装置では、回路基板２０に接続される信号ケーブルにも電流が流れ込むので、アンテナ特性に影響を及ぼし得る。しかしながら、本発明の車両埋め込み型アンテナ装置では、接地用ブラケット３０を用いてバックドア等のパーツＤのリンフォースＲ等の導電性部材に直接接地するため、これによるリンフォースＲや車両骨格Ｆへの電流の影響の方が大きく現れる。
【００３２】
ここで、リンフォースＲが車両骨格Ｆに導通している構造の車両の場合、より具体的には、接地用ブラケット３０の接地位置は、車両のボディに装着されるパーツＤの導電性部材であるリンフォースＲが車両骨格Ｆに導通する位置近傍であれば良い。即ち、バックドアのリンフォースＲのヒンジＨが車両骨格Ｆに導通する位置であるため、接地用ブラケット３０は、ヒンジＨの近傍に接地されれば良い。また、ヒンジＨは、車両骨格Ｆのルーフ面と異なる角度で配置される部分近傍にあることが好ましい。
【００３３】
ここで、図３を用いて車両のボディに装着されるパーツが有する導電性部材の車両骨格への導通の有無による水平・垂直偏波特性について説明する。具体的には、リンフォースの車両骨格への導通の有無による水平・垂直偏波特性の違いについて説明する。また、リンフォースが垂直方向の部位（垂直成分）を有さないもと有するものについても比較検討した。さらに、垂直成分を有するものは、リンフォースの垂直方向の部位の長さの違いについても検討した。ここで、リンフォースの垂直方向の部位の長さ（ルーフ面と異なる角度で配置される部位の長さ）とは、導電性部材からなるリンフォースの電気的な影響を受ける導電性部材の垂直成分をいう。図３は、本発明の車両埋め込み型アンテナ装置における利得特性を説明するためのグラフであり、図３（ａ）が垂直偏波の利得特性を、図３（ｂ）が水平偏波の利得特性を表している。図示の通り、リンフォースの垂直成分が無い場合には、リンフォースと車両骨格に対してヒンジによる導通があったほうが、利得が高いことが分かる。一方、リンフォースが例えばバックドアの上側角部を補強するようにＬ字状に設けられる場合、即ち、リンフォースが垂直方向の部位を有し、ヒンジによる導通が無いときには、リンフォースの垂直方向の部位の長さによっては所望な周波数帯において不要な共振が起きる場合がある。具体的には、リンフォースの垂直成分がバックドアの最下部まで延在している場合には、図３の９０ＭＨｚ付近で、所望の周波数帯で感度が大きく落ちていることが分かる。これは、リンフォースの垂直成分により不要共振が起きたことによるものである。ところが、ヒンジによる導通が無い場合であっても、リンフォースの垂直方向の長さが半分（中間部まで）の場合には、水平・垂直偏波共に良好な利得特性が得られることが分かる。
【００３４】
したがって、ヒンジによる導通が無いリンフォースの垂直方向の部位の長さは、不要共振が起きない長さに設定されることが好ましい。例えば、アンテナエレメント１０がＦＭ帯に対応するものの場合、リンフォースの垂直方向の部位の長さはＦＭ帯に対する不要共振が起きないように設計されれば良い。より具体的には、例えばリンフォースの垂直方向の部位の長さは、車両にもよるが一般的には９００ｍｍ程度であるが、不要共振が起きないように、約０ｍｍ−５００ｍｍ程度の範囲に設定されれば良い。この長さは、用いられる車両の形状やアンテナエレメントの特性等にも影響される。したがって、リンフォースの垂直方向の部位の長さは、この具体的な長さに限定されるものではなく、対象となる車両に応じて不要共振が起きない長さに設定されれば良い。
【００３５】
また、本発明の車両埋め込み型アンテナ装置では、リンフォースＲをドアロック部Ｌと導通させても良い。具体的には、アース線Ｅを用いてドアロック部ＬにリンフォースＲを導通させる。図１に示される例では、左右に設けられたリンフォースＲの両方からアース線Ｅを介してドアロック部Ｌに導通させている。ここで、ドアロック部Ｌは、車両骨格Ｆに導通するものである。バックドアのリンフォースＲはバックドアの上側角部２か所を補強するように左右にＬ字状に設けられるものであり、ドアロック部Ｌはバックドアの下側の中心付近に設けられるものである。したがって、リンフォースＲとドアロック部Ｌがアース線Ｅを用いて導通すると、バックドアにリング状のグラウンド構造が提供されることになる。これにより、リンフォースＲの長さや大きさの違いによるアンテナ特性への影響を最小限とすることが可能となる。
【００３６】
図４を用いて本発明の車両埋め込み型アンテナ装置の接地用ブラケットについてより具体的に説明する。図４は、本発明の車両埋め込み型アンテナ装置の接地用ブラケットを説明するための概略図であり、図４（ａ）がその上面図であり、図４（ｂ）がその側面図である。接地用ブラケット３０は、回路基板２０からリンフォースＲまで導通させるものであれば良い。図示例では、さらに、接地用ブラケット３０は、導電性の板状部材を板金加工等により折り曲げ形成され所定の強度を有するものであり、回路基板２０をリンフォースＲに固定する固定具の機能も有している。また、接地用ブラケット３０は、回路基板２０を挟み込むように折り曲げ形成され、回路基板２０に固定されても良い。そして、接地用ブラケット３０がリンフォースＲに直接接地されるように、所定のねじ孔３１が設けられている。なお、リンフォースＲにも所定のねじ孔が設けられており、ボルト３３により接地用ブラケット３０がリンフォースＲに共締めされる。
【００３７】
具体的には、図示の通り、回路基板２０が接地用ブラケット３０に挟み込まれるように形成されている。即ち、回路基板２０が導電性ケース３５に収容されるように構成されている。より具体的には、導電性ケース３５は、導電性の板状部材を板金加工等により凹型に折り曲げ形成されるものである。図示例では、接地用ブラケット３０が、導電性ケース３５と一体的に形成されている。即ち、接地用ブラケット３０と導電性ケース３５は、１枚の導電性の板状部材を板金加工等により折り曲げ形成されている。なお、接地用ブラケット３０と導電性ケース３５は、別体として形成した後に電気的に接続しても勿論良い。そして、回路基板２０の長手方向の両側部を挟み込むように、導電性ケース３５に回路基板２０が収容されている。導電性ケース３５の側壁上部には、回路基板２０の上面側に折り曲げて回路基板２０を固定するための爪部３６が設けられている。そして、導電性ケース３５が回路基板２０のグラウンドに電気的に接続され、接地用ブラケット３０が回路基板２０のグラウンドとなっている。また、回路基板２０には、車両室内のチューナ等に接続されている信号ケーブル６０が接続されている。信号ケーブル６０は、その信号線がアンプ回路５０に接続され、そのグラウンド線が接地用ブラケット３０に電気的に接続されれば良い。
【００３８】
ここで、図４に記載の通り、インダクタ４０は、接地用ブラケット３０やアンテナエレメント１０が配置されていない位置に配置されている。具体的には、回路基板２０の接地用ブラケット３０が固定されている位置や、アンテナエレメント１０が接続されている位置を避けてインダクタ４０が配置されれば良い。これは、インダクタ４０のＱ値を低下させる原因となり得る導電体をなるべく離すことで、インダクタ４０の性能劣化を防止し、アンテナ利得の低下を防ぐためである。
【００３９】
そして、回路基板２０の周辺全体を、絶縁性樹脂７０により、樹脂モールド化しても良い。また、絶縁性樹脂７０は、樹脂製ケースによるカバーであっても良い。樹脂製ケースが硬質なものであれば、接地用ブラケットとアンテナエレメント１０との間に応力が加わった場合であっても、回路基板２０を保護することが可能となる。さらに、樹脂製ケースで回路基板２０を挟む際にパッキンを用いたり接着等を行ったり、樹脂モールドで覆ったりした場合には、回路基板２０の防水等も可能である。
【００４０】
なお、本発明の車両埋め込み型アンテナ装置は、上述の図示例にのみ限定されるものではなく、本発明の要旨を逸脱しない範囲内において種々変更を加え得ることは勿論である。
【符号の説明】
【００４１】
１０    アンテナエレメント
１１    給電線
２０    回路基板
２１    給電部
３０    接地用ブラケット
３１    ねじ孔
３３    ボルト
３５    導電性ケース
３６    爪部
４０    インダクタ
５０    アンプ回路
６０    信号ケーブル
７０    絶縁性樹脂
Ｄ    パーツ
Ｅ    アース線
Ｆ    車両骨格
Ｈ    ヒンジ
Ｌ    ドアロック部
Ｒ    リンフォース
Ｓ    スポイラ
【図１】
2020088569.tif 000003
【図２】
2020088569.tif 000004
【図３】
2020088569.tif 000005
【図４】
2020088569.tif 000006